(57)【要約】直交周波数分割多重化（ＯＦＤＭ）変調を用いる複数個の送信アンテナを有する広帯域無線移動通信システムのために、リソースブロック内にパイロットサブキャリアを割り当てる方法が開示される。この方法で、パイロットサブキャリアが５個または７個のＯＦＤＭシンボルで構成されたリソースブロックに割り当てられ、このリソースブロックの４個のＯＦＤＭシンボルのみがパイロットサブキャリアに対して割り当てられることなどが含まれ、パイロットサブキャリアを多重アンテナシステムにおいて効率的に割り当てることができる。【選択図】図１３
2011517516.tif 000002
【特許請求の範囲】
【請求項１】
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信することと、
１８個のサブキャリア及び７個のＯＦＤＭＡシンボルを表す１８＊７大きさの行列の形態のリソースブロックを生成するために、前記ＯＦＤＭＡ信号を復調することと、
前記７個のＯＦＤＭＡシンボルのうち単に４個のＯＦＤＭＡシンボルにのみわたって分散した４個のパイロットシンボルを検出することであって、パイロットシンボルを含むそれぞれのＯＦＤＭＡシンボル内で、１番目のパイロットシンボルと２番目のパイロットシンボルは４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、ことと、
前記検出された４個のパイロットシンボルに基づいてチャンネル推定を行うことと、
を含む、無線通信機器と通信する方法。
【請求項２】
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、請求項１に記載の方法。
【請求項３】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項２に記載の方法。
【請求項４】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項３に記載の方法。
【請求項５】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項４に記載の方法。
【請求項６】
前記７個のＯＦＤＭＡシンボルのうち単に４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、請求項１に記載の方法。
【請求項７】
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記７個のＯＦＤＭＡシンボルのうち４個のＯＦＤＭＡシンボルにのみわたって分散した４個のパイロットシンボルを検出するステップは、インデックスナンバー（０，１，４，５）に対応する位置のパイロットシンボルを検出することを含む、請求項１に記載の方法。
【請求項８】
前記チャンネル推定を行うステップの出力をＭＩＭＯ後処理することと、
入力シンボルを、対応するコードワードにデマッピングすることと、
前記コードワードをデコーディングすることと、
をさらに含む、請求項１に記載の方法。
【請求項９】
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信された直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調信号を受信することと、
１８個のサブキャリア及び５個のＯＦＤＭＡシンボルを表す１８＊５大きさの行列の形態のリソースブロックを生成するように前記ＯＦＤＭＡ信号を復調することと、
前記５個のＯＦＤＭＡシンボルのうち４個のＯＦＤＭＡシンボルにのみわたって分散した４個のパイロットシンボルを検出することと、
前記検出された４個のパイロットシンボルに基づいてチャンネル推定を行うことと、
を含み、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは４個のサブキャリアだけ離れている、方法。
【請求項１０】
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、請求項９に記載の方法。
【請求項１１】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項１０に記載の方法。
【請求項１２】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項１１に記載の方法。
【請求項１３】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項１２に記載の方法。
【請求項１４】
前記５個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、請求項９に記載の方法。
【請求項１５】
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記５個のＯＦＤＭＡシンボルのうち４個のＯＦＤＭＡシンボルにのみわたって分散した４個のパイロットシンボルを検出するステップは、インデックスナンバー（０，１，３，４）に対応する位置のパイロットシンボルを検出することを含む、請求項９に記載の方法。
【請求項１６】
前記チャンネル推定を行うステップの出力をＭＩＭＯ後処理することと、
入力シンボルを対応するコードワードにデマッピングすることと、
前記コードワードをデコーディングすることと、
をさらに含む、請求項９に記載の方法。
【請求項１７】
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと７個のＯＦＤＭＡシンボルを表す１８＊７大きさの行列の形態のリソースブロックを生成するために、前記ＯＦＤＭＡ信号を復調するように構成された復調器と、
前記復調器に作動可能に連結されており、検出されたパイロットシンボルに基づいてチャンネル特性を推定するように構成されたチャンネル推定器であって、前記チャンネル推定器は、前記７個のＯＦＤＭＡシンボルのうち４個のＯＦＤＭＡシンボルにのみわたって分散した４個のパイロットシンボルを検出するように構成された、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
【請求項１８】
前記４個のパイロットシンボルはパイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、請求項１７に記載の移動無線通信機器。
【請求項１９】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項１８に記載の移動無線通信機器。
【請求項２０】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項１９に記載の移動無線通信機器。
【請求項２１】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項２０に記載の移動無線通信機器。
【請求項２２】
前記７個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、請求項１７に記載の移動無線通信機器。
【請求項２３】
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，４，５）に対応する位置のパイロットシンボルを検出するように構成されている、請求項１７に記載の移動無線通信機器。
【請求項２４】
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、請求項１７に記載の移動無線通信機器。
【請求項２５】
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと５個のＯＦＤＭＡシンボルを表す１８＊５大きさの行列の形態のリソースブロックを生成するために、前記ＯＦＤＭＡ信号を復調するように構成された復調器と、
前記復調器に作動可能に連結されており、検出された４個のパイロットシンボルに基づいてチャンネル特性を推定するように構成されたチャンネル推定器であって、前記チャンネル推定器は、前記５個のＯＦＤＭＡシンボルのうち４個のＯＦＤＭＡシンボルにのみわたって分散している４個のパイロットシンボルを検出するように構成された、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
【請求項２６】
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、請求項２５に記載の移動無線通信機器。
【請求項２７】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項２６に記載の移動無線通信機器。
【請求項２８】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項２７に記載の移動無線通信機器。
【請求項２９】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項２８に記載の移動無線通信機器。
【請求項３０】
前記５個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、請求項２５に記載の移動無線通信機器。
【請求項３１】
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，３，４）に対応する位置のパイロットシンボルを検出するように構成されている、請求項２５に記載の移動無線通信機器。
【請求項３２】
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、請求項２５に記載の移動無線通信機器。
【発明の詳細な説明】
【技術分野】
【０００１】
本発明は、無線通信システムに係り、特に、多重アンテナ（Ｍｕｌｔｉｐｌｅ−Ｉｎｐｕｔ  Ｍｕｌｔｉｐｌｅ−Ｏｕｔｐｕｔ；ＭＩＭＯ）システムを含む無線移動通信システムにおいてパイロットサブキャリアを割り当てる方法に関するものである。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１６標準は、広帯域無線接続及びプロトコルを支援する技術を提供する。この標準化は、１９９９年から進んできており、ＩＥＥＥ  ８０２．１６−２００１が２００１年に承認された。ＩＥＥＥ  ８０２．１６−２００１は、‘Ｗｉｒｅｌｅｓｓ  ＭＡＮ−ＳＣ’と呼ばれる単一キャリア物理層（ｓｉｎｇｌｅ  ｃａｒｒｉｅｒ  ｐｈｙｓｉｃａｌ  ｌａｙｅｒ）に基づいて樹立された。２００３年に承認されたＩＥＥＥ  ８０２．１６ａで、‘Ｗｉｒｅｌｅｓｓ  ＭＡＮ−ＳＣ’に加えて、‘Ｗｉｒｅｌｅｓｓ  ＭＡＮ−ＯＦＤＭ’及び‘Ｗｉｒｅｌｅｓｓ  ＭＡＮ−ＯＦＤＭＡ’が物理層に追加された。ＩＥＥＥ  ８０２．１６ａ標準が完成した後、改正されたＩＥＥＥ  ８０２．１６−２００４が２００４年に承認された。ＩＥＥＥ  ８０２．１６−２００４のバグ（ｂｕｇ）及び誤りを修正するために、２００５年に修正本（ｃｏｒｒｉｇｅｎｄｕｍ）の形態でＩＥＥＥ  ８０２．１６−２００４／Ｃｏｒ１が完成した。
【０００３】
ＭＩＭＯアンテナ技術は、複数の送信アンテナ及び複数の受信アンテナを使用することによって、データの伝送／受信効率を向上させる。ＭＩＭＯ技術は、ＩＥＥＥ  ８０２．１６ａ標準に取り込まれて以来、続けて更新されてきている。
【０００４】
ＭＩＭＯ技術は、空間多重化方法（ｓｐａｔｉａｌ  ｍｕｌｔｉｐｌｅｘｉｎｇ  ｍｅｔｈｏｄ）及び空間ダイバーシティ方法（ｓｐａｔｉａｌ  ｄｉｖｅｒｓｉｔｙ  ｍｅｔｈｏｄ）に区別される。空間多重化方法では、それぞれ異なるデータが同時に伝送されるので、システムの帯域幅を増加させることなくデータが高速で伝送することができる。空間ダイバーシティ方法では、ダイバーシティ利得を得るために複数の伝送アンテナを通じて同一のデータを伝送するので、データの信頼性が増大する。
【０００５】
受信機は、送信機から送信されるデータを復旧するためにチャンネルを推定する必要がある。チャンネル推定は、フェージング（ｆａｄｉｎｇ）による急激な環境変化により発生する信号の歪みを補償し、伝送信号（ｔｒａｎｓｍｉｓｓｉｏｎ  ｓｉｇｎａｌ）を復旧する処理過程のことをいう。一般に、チャンネル推定のために伝送機及び受信機は、パイロットを知る必要がある。
【０００６】
ＭＩＭＯシステムで、信号は、各アンテナに対応するチャンネルを経る。したがって、複数のアンテナを考慮してパイロットを配列する必要がある。アンテナの個数が増加するにつれてパイロットの個数を増加する一方で、データ伝送率を増加させるためにアンテナの個数を増加させることは不可能である。
【０００７】
従来技術において、パーミュテーション（ｐｅｒｍｕｔａｔｉｏｎ）方法（例えば、分散（ｄｉｓｐｅｒｓｉｏｎ）／ＡＭＣ／ＰＵＳＣ／ＦＵＳＣ）に応じてそれぞれ異なるパイロット割当構造がデザインされて使用されてきた。これは、パーミュテーション方法がＩＥＥＥ  ８０２．１６ｅシステムにおいて時間軸に沿って互いに分離されており、パーミュテーション方法によってそれらの構造がそれぞれ最適化することができたためである。しかし、万一、これらパーミュテーション方法がある時点に共存する場合は、単一化した（ｕｎｉｆｉｅｄ）基本データ割当構造が必要とされる。
【０００８】
従来技術では、多くのパイロットオーバーヘッド（ｏｖｅｒｈｅａｄ）が発生するため、伝送率（ｔｒａｎｓｆｅｒ  ｒａｔｅ）が減少する。また、同一のパイロット構造が互いに隣接するセル（ｃｅｌｌ）またはセクター（ｓｅｃｔｏｒ）に適用されるため、セル間またはセクター間に衝突（ｃｏｌｌｉｓｉｏｎ）が発生することがある。そこで、ＭＩＭＯシステムにおいてパイロットサブキャリアを效果的に割り当てる方法が要求される。
【発明の概要】
【発明が解決しようとする課題】
【０００９】
本発明の目的は、アップリンク／ダウンリンク（ｕｐｌｉｎｋ／ｄｏｗｎｌｉｎｋ）及び特定パーミュテーション（ｐｅｒｍｕｔａｔｉｏｎ）方式にかかわらずに、ＭＩＭＯシステムを含む無線通信システムでパイロットサブキャリアを效率的に割り当てる方法を提供することにある。特に、本発明は、５個または７個のＯＦＤＭＡシンボルで構成されるサブフレームを支援する通信システムにおいてチャンネル推定性能を向上させるためのものである。本発明は、ＩＥＥＥ  ８０２．１６ｍのような新しい無線通信システムに適用可能である。
【課題を解決するための手段】
【００１０】
本発明の目的は、後述する本発明の様々な様相によって達成することができる。
【００１１】
本発明の一様相による、ＯＦＤＭＡ変調を使用する複数個の送信アンテナを有する広帯域無線移動通信システムのためのリソースブロックにおいてパイロットサブキャリアを割り当てる方法は、これらのリソースブロックのうち４個のＯＦＤＭＡシンボルのみがパイロットサブキャリアのために割り当てられるようにパイロットサブキャリアを前記リソースブロックに割り当てるステップを含み、ここで、リソースブロックは、７個のＯＦＤＭＡシンボルを有する。
【００１２】
好ましくは、前記４個のＯＦＤＭＡシンボルに対する１セットのＯＦＤＭＡシンボルインデックスナンバーは、インデックスナンバーセット（ｏ，ｐ，ｑ，ｒ）が前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルを表すとする時、（０，１，５，６）、（０，１，４，５）、及び（１，２，５，６）のうちのいずれか一つである。好ましくは、前記複数個の送信アンテナは、４個の送信アンテナで構成され、前記リソースブロックは、１８個のサブキャリアで構成され、そしてパイロットサブキャリアに対して割り当てられる前記ＯＦＤＭＡシンボルはそれぞれ、前記４個の送信アンテナのうち、１番目の送信アンテナのためのパイロットサブキャリア、２番目の送信アンテナのためのパイロットサブキャリア、３番目の送信アンテナのためのパイロットサブキャリア、及び４番目の送信アンテナのためのパイロットサブキャリアを含む。好ましくは、前記複数個の送信アンテナは、２個の送信アンテナで構成され、前記リソースブロックは、１８個のサブキャリアで構成され、そしてパイロットサブキャリアに対して割り当てられる前記ＯＦＤＭＡシンボルはそれぞれ、前記２個の送信アンテナのうち、１番目の送信アンテナのためのパイロットサブキャリア、及び２番目の送信アンテナのためのパイロットサブキャリアを含む。好ましくは、前記リソースブロックは、４個のサブキャリアまたは６個のサブキャリアで構成される。
【００１３】
本発明の他の様相による、ＯＦＤＭＡ変調を使用する複数個の送信アンテナを有する広帯域無線移動通信システムのためのリソースブロックにおいてパイロットサブキャリアを割り当てる方法は、前記リソースブロックのうち４個のＯＦＤＭＡシンボルのみがパイロットサブキャリアのために割り当てられるように、パイロットサブキャリアを前記リソースブロックに割り当てるステップを含み、ここで、前記リソースブロックは、５個のＯＦＤＭＡシンボルを有する。
【００１４】
好ましくは、前記４個のＯＦＤＭＡシンボルに対するＯＦＤＭＡシンボルインデックスナンバーは、０、１、３、４である。ここで、インデックスナンバーｐは、前記リソースブロック内の（ｐ＋１）番目のＯＦＤＭＡシンボルを表す。好ましくは、前記複数個の送信アンテナは、４個の送信アンテナで構成され、前記リソースブロックは１８個のサブキャリアで構成され、そしてパイロットサブキャリアに対して割り当てられる前記ＯＦＤＭＡシンボルはそれぞれ、前記４個の送信アンテナのうち１番目の送信アンテナのためのパイロットサブキャリア、２番目の送信アンテナのためのパイロットサブキャリア、３番目の送信アンテナのためのパイロットサブキャリア、及び４番目の送信アンテナのためのパイロットサブキャリアを含む。好ましくは、前記複数個の送信アンテナは、２個の送信アンテナで構成され、前記リソースブロックは、１８個のサブキャリアで構成され、そしてパイロットサブキャリアに対して割り当てられる前記ＯＦＤＭＡシンボルはそれぞれ、前記２個の送信アンテナのうち１番目の送信アンテナのためのパイロットサブキャリア、及び２番目の送信アンテナのためのパイロットサブキャリアを含む。好ましくは、前記リソースブロックは、４個のサブキャリアまたは６個のサブキャリアで構成される。
【００１５】
本発明の他の様相による、ＯＦＤＭＡ変調を使用する複数個の送信アンテナを有する無線通信システムは、ＭＩＭＯアンテナ、前記ＭＩＭＯアンテナに作動可能に連結されたＯＦＤＭＡ変調器、及び前記ＯＦＤＭＡ変調器に作動可能に連結されたプロセッサを含む。ここで、前記プロセッサは、前記リソースブロックのうち、４個のＯＦＤＭＡシンボルのみがパイロットサブキャリアのために割り当てられるように、パイロットサブキャリアをリソースブロックに割り当てるように構成され、ここで、前記リソースブロックは、７個のＯＦＤＭＡシンボルを有し、前記４個のＯＦＤＭＡシンボルに対する１セットのＯＦＤＭＡシンボルインデックスナンバーは、インデックスナンバーセット（ｏ，ｐ，ｑ，ｒ）が前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルを表すとする時、（０，１，５，６）、（０，１，４，５）、及び（１，２，５，６）のうちのいずれか一つである。
【００１６】
本発明の他の様相による、ＯＦＤＭＡ変調を用いる複数個の送信アンテナを有する無線通信システムは、ＭＩＭＯアンテナ、前記ＭＩＭＯアンテナに作動可能に連結されたＯＦＤＭＡ変調器、及び前記ＯＦＤＭＡ変調器に作動可能に連結されたプロセッサを含む。ここで、前記プロセッサは、前記リソースブロックのうち、４個のＯＦＤＭＡシンボルのみがパイロットサブキャリアのために割り当てられるように、パイロットサブキャリアをリソースブロックに割り当てるように構成され、ここで、前記リソースブロックは、５個のＯＦＤＭＡシンボルを有し、インデックスナンバーｐが（ｐ＋１）番目のＯＦＤＭＡシンボルを表すとする時、前記４個のＯＦＤＭＡシンボルに対するＯＦＤＭＡシンボルインデックスナンバーは、０、１、３、４である。
【発明の効果】
【００１７】
本発明によれば、パイロットサブキャリアを多重アンテナシステムにおいて効率的に割り当てることができる。
【図面の簡単な説明】
【００１８】
【図１】複数のアンテナを有する送信機のブロック図である。
【図２】複数個のアンテナを有する受信機のブロック図である。
【図３】フレーム構造である。
【図４】サブチャンネル部分使用法（Ｐａｒｔｉａｌ  Ｕｓａｇｅ  ｏｆ  ＳｕｂＣｈａｎｎｌｅｓ；ＰＵＳＣ）を用いる方法で、２個の送信アンテナのための従来のパイロット配列を示す図である。
【図５】サブチャンネル全体使用法（Ｆｕｌｌ  Ｕｓａｇｅ  ｏｆ  ＳｕｂＣｈａｎｎｅｌｓ；ＦＵＳＣ）を用いる方法で、２個の送信アンテナのための従来のパイロット配列を示す図である。
【図６】ＰＵＳＣを用いる方法で、４個の送信アンテナのための従来のパイロット配列を示す図である。
【図７】ＦＵＳＣを用いる方法で、４個の送信アンテナのための従来のパイロット配列を示す図である。
【図８】６個のＯＦＤＭＡシンボルで構成される標準サブフレームに、２個の送信アンテナを有する通信システムでパイロットを割り当てるのに用いる従来の構造の例を示す図である。
【図９】６個のＯＦＤＭＡシンボルで構成される標準サブフレームに、２個の送信アンテナを有する通信システムでパイロットを割り当てるのに用いる従来の構造の例を示す図である。
【図１０】６個のＯＦＤＭＡシンボルで構成される標準サブフレームに、２個の送信アンテナを有する通信システムでパイロットを割り当てるのに用いる従来の構造の例を示す図である。
【図１１】６個のＯＦＤＭＡシンボルで構成される標準サブフレームに、２個の送信アンテナを有する通信システムでパイロットを割り当てるのに用いる従来の構造の例を示す図である。
【図１２】１８個のサブキャリアと６個のＯＦＤＭＡシンボルで構成されている標準サブフレームに、４個の送信アンテナを有する通信システムでパイロットを割り当てるのに用いる従来の構造の例を示す図である。
【図１３】本発明の一実施例による、５個のＯＦＤＭＡシンボルで構成されているタイルへのパイロット割当構造を示す図である。
【図１４】本発明の一実施例による、７個のＯＦＤＭＡシンボルで構成されでいるタイルへのパイロット割当構造を示す図である。
【図１５】本発明の一実施例による、７個のＯＦＤＭＡシンボルで構成されているタイルへのパイロット割当構造を示す図である。
【図１６】本発明の一実施例による、７個のＯＦＤＭＡシンボルで構成されているタイルへのパイロット割当構造を示す図である。
【図１７】本発明の一実施例による、５個のＯＦＤＭＡシンボルで構成されているサブフレームへのパイロット割当構造を示す図である。
【図１８】本発明の一実施例による、５個のＯＦＤＭＡシンボルで構成されているサブフレームへのパイロット割当構造を示す図である。
【図１９】本発明の一実施例による、７個のＯＦＤＭＡシンボルで構成されているサブフレームへのパイロット割当構造を示す図である。
【図２０】本発明の一実施例による、７個のＯＦＤＭＡシンボルで構成されているサブフレームへのパイロット割当構造を示す図である。
【図２１】本発明の一実施例による、７個のＯＦＤＭＡシンボルで構成されているサブフレームへのパイロット割当構造を示す図である。
【図２２】本発明の一実施例による、７個のＯＦＤＭＡシンボルで構成されているサブフレームへのパイロット割当構造を示す図である。
【図２３】本発明の一実施例による、７個のＯＦＤＭＡシンボルで構成されているサブフレームへのパイロット割当構造を示す図である。
【図２４】本発明の一実施例による、７個のＯＦＤＭＡシンボルで構成されているサブフレームへのパイロット割当構造を示す図である。
【図２５】本発明の一実施例による、５個のＯＦＤＭＡシンボルで構成されているサブフレームへのパイロット割当構造を示す図である。
【図２６】本発明の一実施例による、７個のＯＦＤＭＡシンボルで構成されているサブフレームへのパイロット割当構造を示す図である。
【図２７】本発明の一実施例による、７個のＯＦＤＭＡシンボルで構成されているサブフレームへのパイロット割当構造を示す図である。
【図２８】本発明の一実施例による、７個のＯＦＤＭＡシンボルで構成されているサブフレームへのパイロット割当構造を示す図である。
【発明を実施するための形態】
【００１９】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すためのものではない。以下の詳細な説明は、本発明の完全な理解を助けるために具体的な細部事項を含む。しかし、当業者には、本発明がこのような具体的細部事項なしにも実施されうることが理解される。例えば、以下の説明では一定用語を中心に説明するが、これらの用語に限定されず、任意の用語で説明される場合にも同じ意味を有することができる。また、本明細書全体を通じて同一または類似の構成要素については、同一の図面符号を使用して説明する。
【００２０】
後述する技術は、様々な無線通信システムに用いることができる。音声及びパケットデータ（ｐａｃｋｅｔ）のような様々な通信サービスを提供するための無線通信システムが提供される。本技術は、ダウンリンクまたはアップリンクで用いることができる。一般に、ダウンリンクは、基地局（Ｂａｓｅ  Ｓｔａｔｉｏｎ；ＢＳ）からユーザ機器（Ｕｓｅｒ  Ｅｑｕｉｐｍｅｎｔ；  ＵＥ）への通信を示し、アップリンクは、ＵＥからＢＳへの通信を示す。ＢＳは、通常、ＵＥと通信する固定した局（ｓｔａｔｉｏｎ）を指し、ノードＢ（ｎｏｄｅ−Ｂ）、基地送受信システム（Ｂａｓｅ  Ｔｒａｎｓｃｅｉｖｅｒ  Ｓｙｓｔｅｍ；  ＢＴＳ）、またはアクセスポイント（ａｃｃｅｓｓ  ｐｏｉｎｔ）と呼ぶこともできる。ＵＥは、固定されたり移動したりすることができ、移動局（Ｍｏｂｉｌｅ  Ｓｔａｔｉｏｎ；ＭＳ）、ユーザ端末（Ｕｓｅｒ  Ｔｅｒｍｉｎａｌ；ＵＴ）、加入局（Ｓｕｂｓｃｒｉｂｅｒ  Ｓｔａｔｉｏｎ；ＳＳ）または無線機器と呼ぶこともできる。
【００２１】
以下、新しいシステムのための効率的なパイロット構造が記述される。新しいシステムは、ＩＥＥＥ  ８０２．１６ｍシステムを中心に記述されるが、本発明の原理は、他のシステムにも適用可能である。
【００２２】
通信システムは、複数入力・複数出力システム（Ｍｕｌｔｉｐｌｅ−Ｉｎｐｕｔ  Ｍｕｌｔｉｐｌｅ−Ｏｕｔｐｕｔ  ｓｙｓｔｅｍ；  ＭＩＭＯ  ｓｙｓｔｅｍ）または複数入力・単一出力システム（Ｍｕｌｔｉｐｌｅ  Ｉｎｐｕｔ  Ｓｉｎｇｌｅ−Ｏｕｔｐｕｔ  ｓｙｓｔｅｍ；ＭＩＳＯ  ｓｙｓｔｅｍ）とすることができる。ＭＩＭＯシステムは、複数の送信アンテナ及び複数の受信アンテナを使用する。ＭＩＳＯシステムは、複数の送信アンテナと一つの受信アンテナを使用する。
【００２３】
図１は、複数のアンテナを有する送信機のブロック図である。図１を参照すると、送信機１００は、チャンネルエンコーダ１２０、マッパー１３０、ＭＩＭＯプロセッサ１４０、サブキャリア割当器１５０及び直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：  ＯＦＤＭ）変調器１６０を含む。チャンネルエンコーダ１２０、マッパー１３０、ＭＩＭＯプロセッサ１４０、サブキャリア割当器１５０は、別の構成要素（ｃｏｍｐｏｎｅｎｔ）として具現されることもでき、送信機１００の単一プロセッサ内で組み合わせて具現されることもできる。
【００２４】
チャンネルエンコーダ１２０は、あらかじめ決定されたコーディング方式によって入力ストリーム（ｓｔｒｅａｍ）をエンコーディングして、コーディングされたワード（ｃｏｄｅｄ  ｗｏｒｄ）を生成する。マッパー１３０は、このコーディングされたワードを、信号コンステレーション（ｓｉｇｎａｌ  ｃｏｎｓｔｅｌｌａｔｉｏｎ）の位置で表現するシンボルにマッピングする。マッパー１３０の変調方式（ｍｏｄｕｌａｔｉｏｎ  ｓｃｈｅｍｅ）は、ｍ位相シフトキーイング（ｍ−Ｐｈａｓｅ  Ｓｈｉｆｔ  Ｋｅｙｉｎｇ；ｍ−ＰＳＫ）方式またはｍ−直交振幅変調（ｍ−Ｑｕａｄｒａｔｕｒｅ  Ａｍｐｌｉｔｕｄｅ  Ｍｏｄｕｌａｔｉｏｎ：ｍ−ＱＡＭ）方式を含むことができるが、これに制限されない。
【００２５】
ＭＩＭＯプロセッサ１４０は、複数の送信アンテナ１９０−１，…，９０−Ｎｔを使用するＭＩＭＯ方法によって入力シンボルを処理する。例えば、ＭＩＭＯプロセッサ１４０は、コードブック（ｃｏｄｅｂｏｏｋ）に基づいてプリコーディング（ｐｒｅｃｏｄｉｎｇ）を行うことができる。
【００２６】
サブキャリア割当器１５０は、サブキャリアに入力シンボル及びパイロットを割り当てる。パイロットは、送信アンテナ１９０−１，…，９０−Ｎｔによって配列される。パイロット及びこれに対応するパイロット位置は、送信機１００も受信機２００も知っている（図２参照）。パイロットは、チャンネル推定またはデータ復調（ｄｅｍｏｄｕｌａｔｉｏｎ）のために用いられ、基準信号（ｒｅｆｅｒｅｎｃｅ  ｓｉｇｎａｌ）とも呼ばれる。
【００２７】
ＯＦＤＭＡ変調器１６０は、入力シンボルを変調してＯＦＤＭＡシンボルを出力する。ＯＦＤＭＡ変調器１６０は、入力シンボルに対して逆高速フーリエ変換（Ｉｎｖｅｒｓｅ  Ｆａｓｔ  Ｆｏｕｒｉｅｒ  Ｔｒａｎｓｆｏｒｍ；  ＩＦＦＴ）を行うことができ、ＩＦＦＴを行った後には、サイクリックプリフィックス（Ｃｙｃｌｉｃ  Ｐｒｅｆｉｘ；ＣＰ）をさらに挿入することができる。ＯＦＤＭＡシンボルは、送信アンテナ１９０−１，…，９０−Ｎｔを通じて伝送される。
【００２８】
図２は、複数個のアンテナを有する受信機のブロック図である。図２を参照すると、受信機２００は、ＯＦＤＭＡ復調器２１０、チャンネル推定器２２０、ＭＩＭＯポストプロセッサ（ＭＩＭＯ  ｐｏｓｔ−ｐｒｏｃｅｓｓｏｒ）２３０、デマッパー２４０、及びチャンネルデコーダ２５０（ｃｈａｎｎｅｌ  ｄｅｃｏｄｅｒ）を含み、これらの各機能部は、別の構成要素として具現されることもでき、受信機２００の単一処理器内で互いに組み合わせて具現されることもできる。
【００２９】
受信アンテナ２９０−１，…，２９０−Ｎｒを通じて受信された信号は、ＯＦＤＭＡ復調器２１０により高速フーリエ変換（Ｆａｓｔ  Ｆｏｕｒｉｅｒ  Ｔｒａｎｓｆｏｒｍ；ＦＦＴ）される。チャンネル推定器２２０は、パイロットを用いてチャンネルを推定する。ＭＩＭＯポストプロセッサ２３０は、ＭＩＭＯプロセッサ１４０に対応する後処理（ｐｏｓｔ−ｐｒｏｃｅｓｓ）を行う。デマッパー２４０は、入力されたシンボルをコーディングされたワードにデマッピング（ｄｅｍａｐ）する。チャンネルデコーダ２５０は、コーディングされたワードをデコーディングして本来のデータを復元（ｒｅｓｔｏｒｅ）する。
【００３０】
図３は、フレーム構造の一例を示す図である。フレームは、物理記述書（ｐｈｙｓｉｃａｌ  ｓｐｅｃｉｆｉｃａｔｉｏｎ）で用いられる、特定時区間におけるデータシーケンス（ｄａｔａ  ｓｅｑｕｅｎｃｅ）である。ここで、物理記述書は、ＩＥＥＥ標準８０２．１６−２００４  “Ｐａｒｔ  １６：  Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ”のセクション８．４．４．２を意味する。以下、この物理記述書を‘参照文献１’と呼ぶことができ、その内容は参照としてこの文書に組み込まれる。
【００３１】
図３を参照すると、図３のフレームは、ダウンリンクフレーム（ＤｏｗｎＬｉｎｋ  ｆｒａｍｅ：ＤＬフレーム）及びアップリンクフレーム（ＵｐＬｉｎｋ  ｆｒａｍｅ：ＵＬフレーム）を含む。時分割二重化（Ｔｉｍｅ  Ｄｉｖｉｓｉｏｎ  Ｄｕｐｌｅｘ；  ＴＤＤ）方式によれば、アップリンク及びダウンリンク送信は、時間領域で互いに分離されるが、同じ周波数を共有する。普通、ダウンリンクフレームはアップリンクフレームに先立つ。ダウンリンクフレームは、プリアンブル（Ｐｒｅａｍｂｌｅ）、フレーム制御ヘッダー（Ｆｒａｍｅ  Ｃｏｎｔｒｏｌ  Ｈｅａｄｅｒ；ＦＣＨ）、ダウンリンクマップ（Ｄｏｗｎｌｉｎｋ  ＭＡＰ；ＤＬ  ＭＡＰ）、アップリンクマップ（Ｕｐｌｉｎｋ  ＭＡＰ；ＵＬ  ＭＡＰ）及びバースト領域（ｂｕｒｓｔ  ｒｅｇｉｏｎ）（例えば、ＤＬバースト＃１〜５、ＵＬバースト＃１〜５）の順序で始まる。ダウンリンクフレーム及びアップリンクフレームを分離するガードタイム（ｇｕａｒｄ  ｔｉｍｅ）は、フレームの中間領域（ｉｎｔｅｒｍｅｄｉａｔｅ  ｐｏｒｔｉｏｎ）及びフレームの末尾領域（ｌａｓｔ  ｐｏｒｔｉｏｎ）に挿入される。中間領域は、ダウンリンクフレームとアップリンクフレームとの間を指し、末尾領域は、アップリンクフレームの後に存在する。送信／受信遷移ギャップ（ｔｒａｎｓｍｉｔ／ｒｅｃｅｉｖｅ  ｔｒａｎｓｉｔｉｏｎ  ｇａｐ；ＴＴＧ）は、ダウンリンクバースト及び後続する（ｓｕｂｓｅｑｕｅｎｔ）アップリンクバーストの間に存在する。受信／送信遷移ギャップ（ｒｅｃｅｉｖｅ／ｔｒａｎｓｍｉｔ  ｔｒａｎｓｉｔｉｏｎ  ｇａｐ；ＲＴＧ）は、アップリンクバースト及び後続する（ｓｕｂｓｅｑｕｅｎｔ）ダウンリンクバーストの間に存在する。
【００３２】
プリアンブルは、ＢＳ及びＵＥ間の初期同期化、セル検索、周波数オフセット推定及びチャンネル推定に用いられる。ＦＣＨは、ＤＬ−ＭＡＰのコーディング方式（ｃｏｄｉｎｇ  ｓｃｈｅｍｅ）及びＤＬ−ＭＡＰの長さに関する情報を含む。ＤＬ−ＭＡＰは、ＤＬ−ＭＡＰメッセージが送信される領域である。ＤＬ−ＭＡＰメッセージは、ダウンリンクチャンネルのアクセス（ａｃｃｅｓｓ）を定義する。ＤＬ−ＭＡＰメッセージは、ＢＳ識別子（ＢＳ  ｉｄｅｎｔｉｆｉｅｒ；ＢＳ  ＩＤ）及びダウンリンクチャンネル記述子（Ｄｏｗｎｌｉｎｋ  Ｃｈａｎｎｅｌ  Ｄｅｓｃｉｐｔｏｒ；ＤＣＤ）の構成変化カウント（ｃｏｎｆｉｇｕｒａｔｉｏｎ  ｃｈａｎｇｅ  ｃｏｕｎｔ）を含む。ＤＣＤは、現在フレームに適用されるダウンリンクバーストプロファイル（ｄｏｗｎｌｉｎｋ  ｂｕｒｓｔ  ｐｒｏｆｉｌｅ）を記述する。ダウンリンクバーストプロファイルは、ダウンリンク物理チャンネルの特性を示し、ＤＣＤは、ＤＣＤメッセージを通じてＢＳにより周期的に送信される。
【００３３】
ＵＬ−ＭＡＰは、ＵＬ−ＭＡＰメッセージが送信される領域である。ＵＬ−ＭＡＰメッセージは、アップリンクチャンネルのアクセスを定義する。ＵＬ−ＭＡＰメッセージは、アップリンクチャンネル記述子（Ｕｐｌｉｎｋ  Ｃｈａｎｎｅｌ  Ｄｅｓｃｒｉｐｔｏｒ；ＵＣＤ）の構成変化カウント及びＵＬ−ＭＡＰにより定義されるアップリンク割当の実際開始時間を含む。ＵＣＤは、アップリンクバーストプロファイルを記述する。アップリンクバーストプロファイルは、アップリンク物理チャンネルの特性を示し、ＵＣＤは、ＵＣＤメッセージを通じてＢＳにより周期的に送信される。
【００３４】
以下、‘スロット’は、最小データ割当ユニット（ｍｉｎｉｍｕｍ  ｄａｔａ  ａｌｌｏｃａｔｉｏｎ  ｕｎｉｔ）を表し、時間及びサブチャンネル（ｓｕｂｃｈａｎｎｅｌ）により定義される。サブチャンネルの個数は、ＦＦＴ大きさ及び時間−周波数マッピングに従属する。サブチャンネルは、複数のサブキャリアを含み、サブチャンネル当たりのサブキャリアの個数は、パーミュテーション方法によって変化する。‘パーミュテーション’は、論理サブチャンネル（ｌｏｇｉｃａｌ  ｓｕｂｃｈａｎｎｅｌ）を物理サブキャリアにマッピングする方法を指す。ＦＵＳＣの場合、サブチャンネルは４８個のサブキャリアを含み、ＰＵＳＣの場合、サブチャンネルは２４個または１６個のサブキャリアを含む。‘セグメント’は、一つ以上のサブチャンネルセットを示す。
【００３５】
データを物理層の物理サブキャリアにマッピングするために、主に、２ステップが行われる。第一のステップにおいて、データは、一つ以上の論理サブチャンネル（ｌｏｇｉｃａｌ  ｓｕｂｃｈａｎｎｅｌ）上の一つ以上のデータスロットにマッピングされる。第二のステップにおいて、論理サブチャンネルは、物理サブチャンネルにマッピングされる。これをパーミュテーションと呼ぶ。上記の参照文書１は、ＦＵＳＣ、ＰＵＳＣ、最適−ＦＵＳＣ（Ｏｐｔｉｍａｌ−ＦＵＳＣ；Ｏ−ＦＵＳＣ）、最適−ＰＵＳＣ（Ｏｐｔｉｍａｌ−ＰＵＳＣ；Ｏ−ＰＵＳＣ）及び適応的変調及びコーディング（Ａｄａｐｔｉｖｅ  Ｍｏｄｕｌａｔｉｏｎ  ａｎｄ  Ｃｏｄｉｎｇ；ＡＭＣ）のようなパーミュテーション方法を開示する。同じパーミュテーション方法を用いる１セットのＯＦＤＭＡシンボルはパーミュテーションゾーン（ｐｅｒｍｕｔａｔｉｏｎ  ｚｏｎｅ）と呼ばれ、一つのフレームは、少なくとも一つのパーミュテーションゾーンを含む。
【００３６】
ＦＵＳＣ及びＯ−ＦＵＳＣは、ダウンリンク伝送のためにのみ用いられる。ＦＵＳＣは、全てのサブチャンネルグループを含む一つのセグメントで構成される。サブチャンネルは、全ての物理チャンネルを通じて分散された物理サブキャリアにマッピングされる。マッピングは、ＯＦＤＭＡシンボルによって変更される。スロットは、一つのＯＦＤＭＡシンボル上の一つのサブチャンネルで構成される。Ｏ−ＦＵＳＣ及びＦＵＳＣにおいて、パイロットを割り当てる方法はそれぞれ異なる。
【００３７】
ＰＵＳＣは、ダウンリンク伝送にも、アップリンク伝送にも用いられる。ダウンリンクにおいて、各物理チャンネルは、２個のＯＦＤＭＡシンボル上の１４個の連続したサブキャリアを含むクラスター（ｃｌｕｓｔｅｒ）に分割される。物理チャンネルは６個のグループ単位でマッピングされる。各グループで、パイロットは、固定された位置でクラスターに割り当てられる。アップリンクにおいて、サブキャリアは、３個のＯＦＤＭＡシンボル上の４個の連続した物理サブキャリアで構成されているタイル（ｔｉｌｅ）に分割される。サブチャンネルは６個のタイルを含む。パイロットは、タイルのコーナー（ｃｏｒｎｅｒ）に割り当てられる。Ｏ−ＰＵＳＣは、アップリンク伝送のためにのみ用いられ、タイルは、３個のＯＦＤＭＡシンボル上の３個の連続した物理サブキャリアで構成される。パイロットは、タイルの中心（ｃｅｎｔｅｒ）に割り当てられる。
【００３８】
図４及び図５はそれぞれ、ＰＵＳＣ及びＦＵＳＣにおいて、２個の送信アンテナに対する従来のパイロット配列（ａｒｒａｎｇｅｍｅｎｔ）を示す図である。図６及び図７はそれぞれ、ＰＵＳＣ及びＦＵＳＣにおいて、４個の送信アンテナに対する従来のパイロット配列を示す図である。これらはそれぞれ、ＩＥＥＥ標準８０２．１６−２００４／Ｃｏｒ１−２００５  “Ｐａｒｔ  １６：  Ａｉｒ  Ｉｎｔｅｒｆａｃｅ  ｆｏｒ  Ｆｉｘｅｄ  ａｎｄ  Ｍｏｂｉｌｅ  Ｂｒｏａｄｂａｎｄ  Ｗｉｒｅｌｅｓｓ  Ａｃｃｅｓｓ  Ｓｙｓｔｅｍｓ；  Ａｍｅｎｄｍｅｎｔ  ２：  Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ  ａｎｄ  Ｃｏｒｒｉｇｅｎｄｕｍ  １”のセクション８．４．８．１．２．１．１、セクション８．４．８．１．２．１．２、セクション８．４．８．２．１、及びセクション８．４．８．２．２を参照すればいい。この文書は、以下、参照文書２と呼ばれ、その全ての内容はここに参照として組み込まれる。
【００３９】
図４乃至図７を参照すると、サブキャリアの割当がＰＵＳＣまたはＦＵＳＣにより行われると、パイロットオーバーヘッドが大きくなる。特に、送信アンテナ当たりのパイロットオーバーヘッドを考慮する時、少なくとも２個の送信アンテナが使われる場合に比べて、１個の送信アンテナが使われる場合にオーバーヘッドが大きい。
【００４０】
表１には、それぞれのパーミュテーション方法において、送信アンテナの個数によるパイロットオーバーヘッドを表す。
【００４１】
【表１】
2011517516.tif 000003
パイロットオーバーヘッドは、パイロットに割り当てられるサブキャリアの個数を、使用される全てのサブキャリアの個数で除算した値である。表１において括弧中の値は、送信アンテナ当たりのパイロットオーバーヘッドを表す。また、参照文書２によれば、もし、３個または４個の送信アンテナが使用されると、データをサブチャンネルにマッピングすることは、チャンネル符号化されたデータをパンクチャリング（ｐｕｎｃｔｕｒｉｎｇ）したり切断（ｔｒｕｎｃａｔｉｏｎ）したりした後に行われる。
【００４２】
従来のパイロット割当方法において、パイロットは、６個のＯＦＤＭＡシンボルで構成される標準サブフレームに割り当てられる。この標準サブフレームは、正規サブフレーム（ｒｅｇｕｌａｒ  ｓｕｂｆｒａｍｅ）と呼ぶこともできる。従来技術で、５個または７個のＯＦＤＭＡシンボルで構成されている非正規サブフレーム（ｉｒｒｅｇｕｌａｒ  ｓｕｂｆｒａｍｅ）が存在することがあるが、それらには何らパイロットも割り当てられない。
【００４３】
図８乃至図１１は、６個のＯＦＤＭＡシンボルで構成される標準サブフレームに、２個の送信アンテナを有する通信システムにおいてパイロットを割り当てるのに用いられる従来の構造の例を示す図である。図１２は、６個のＯＦＤＭＡシンボルで構成される標準サブフレームに、４個の送信アンテナを有する通信システムにおいてパイロットを割り当てるのに用いられる従来の構造の例を示す図である。図８乃至図１２を参照すると、水平軸（インデックス‘ｊ’）は、時間領域における１セットのＯＦＤＭＡシンボルを表し、垂直軸（インデックス‘ｉ’）は、周波数領域におけるサブキャリアを表す。また、Ｐ０、Ｐ１、Ｐ２、及びＰ３はそれぞれ、アンテナ１、アンテナ２、アンテナ３、及びアンテナ４に対応するパイロットサブキャリアを表す。
【００４４】
図８は、１８個のサブキャリアと６個のＯＦＤＭＡシンボルを表す１８＊６大きさの行列構造を有する基本リソースブロック（ｕｎｉｔ  ｒｅｓｏｕｒｃｅ  ｂｌｏｃｋ）への従来のパイロット割当方法の一例を示す図である。
【００４５】
図９は、６個のサブキャリアと６個のＯＦＤＭＡシンボルを表す６＊６大きさの行列構造を有するタイル（ｔｉｌｅ）への従来のパイロット割当方法の一例を示す図である。
【００４６】
図１０及び図１１はそれぞれ、４個のサブキャリアと６個のＯＦＤＭＡシンボルを表す４＊６大きさの行列構造を有するタイルへの従来のパイロット割当方法の第一の例と第二の例を示す図である。
【００４７】
図１２は、１８個のサブキャリアと６個のＯＦＤＭＡシンボルを表す１８＊６大きさの基本リソースブロックへの従来のパイロット割当方法の一例を示す図である。
【００４８】
従来のパイロット割当方法は、６個のＯＦＤＭＡシンボルで構成される標準サブフレームのみを支援する。しかし、ＩＥＥＥ  ８０２．１６ｍの新しいバージョン（ｖｅｒｓｉｏｎ）では、５個のＯＦＤＭＡシンボルで構成されるサブフレーム（以下、‘縮小サブフレーム（ｒｅｄｕｃｅｄ  ｓｕｂｆｒａｍｅ）’とも呼ぶ。）または７個のＯＦＤＭＡシンボルで構成されるサブフレーム（以下、‘非正規サブフレーム（ｉｒｒｅｇｕｌａｒ  ｓｕｂｆｒａｍｅ）’または‘拡張サブフレーム（ｅｘｔｅｎｄｅｄ  ｓｕｂｆｒａｍｅ）’とも呼ぶ。）が定義される。したがって、新しい通信システムにおいてチャンネル推定性能を最適化するための新しいパイロット割当方法が提供される必要がある。
【００４９】
以下、６個のＯＦＤＭＡシンボルで構成される標準サブフレームではなく５個のＯＦＤＭＡシンボルまたは７個のＯＦＤＭＡシンボルで構成されるサブフレームのための本発明の実施例による効率的なパイロット割当構造が記述される。後述する実施例において、水平軸（インデックス‘ｊ’）は、時間領域における１セットのＯＦＤＭＡシンボルを表し、垂直軸（インデックス‘ｉ’）は、周波数領域におけるサブキャリアを表す。また、Ｐ０、Ｐ１、Ｐ２及びＰ３はそれぞれ、アンテナ１、アンテナ２、アンテナ３及びアンテナ４に対応するパイロットサブキャリアを表す。これらのアンテナに対するパイロットの位置は互いに置き換え可能であり、このような置き換えは本発明の思想に含まれる。また、本発明は、ユニキャスト（ｕｎｉｃａｓｔ）サービスシステムの他に、マルチキャストブロードキャストシステム（Ｍｕｌｔｉｃａｓｔ  Ｂｒｏａｄｃａｓｔ  Ｓｙｓｔｅｍ；ＭＢＳ）にも適用可能である。
【００５０】
（２Ｔｘシステムのための実施例）
後述する実施例１乃至実施例６は、２Ｔｘシステムのためのものである。
【００５１】
２個の送信アンテナを有する通信システムにおいて、本発明に係る上記の拡張／縮小サブフレームへのパイロット割当方法は、前述の標準サブフレームへのパイロット割当方法から変形されたものである。万一、通信システムが多数のチャンネル推定方法とモジュールを同時に支援するとすれば、余分のオーバーヘッドが発生する。したがって、標準サブフレームのためのパイロット割当方法を大きく変更することなく、拡張／縮小サブフレームへのパイロット割当方法を提供することができる。
【００５２】
本発明によれば、サブフレームが６個のＯＦＤＭＡシンボルではなく他の個数のＯＦＤＭＡシンボルで構成されるとすれば、拡張／縮小サブフレームへのパイロット割当方法は、標準サブフレームのパイロット割当構造に“ＯＦＤＭＡシンボル列（ｃｏｌｕｍｎ）”を１追加することによって、または、標準サブフレームのパイロット割当構造から“ＯＦＤＭＡシンボル列（ｃｏｌｕｍｎ）”を１削除することによって行うことができる（以下、“ＯＦＤＭＡシンボル列”は、パイロット割当のためのリソースブロック内の一つのＯＦＤＭＡシンボルの１セットのサブキャリアを指す。）。すなわち、７個のＯＦＤＭＡシンボルで構成されているサブフレーム（すなわち、拡張サブフレーム）の場合において、一つの“ＯＦＤＭＡシンボル列”が標準サブフレームに追加されるという点以外は、標準サブフレームへの従来のパイロット割当が拡張サブフレームにそのまま適用される。５個のＯＦＤＭＡシンボルで構成されるサブフレーム（すなわち、縮小サブフレーム）の場合において、一つの“ＯＦＤＭＡシンボル列”が標準サブフレームから除去されるという点以外は、標準サブフレームへの従来のパイロット割当が縮小サブフレームにそのまま適用される。以下、便宜上、上記“ＯＦＤＭＡシンボル列”を‘列（ｃｏｌｕｍｎ）’と略する。
【００５３】
７個のＯＦＤＭＡシンボルで構成されるサブフレーム（すなわち、拡張サブフレーム）を生成するために、本発明の一実施例によるパイロット割当方法は、標準サブフレームのパイロット割当構造から、パイロットサブキャリアに対して割り当てられる‘列’を複写するステップ、及びこの複写された‘列’を、標準サブフレームのパイロット割当構造の最初のＯＦＤＭＡシンボルの前に、または最後のＯＦＤＭＡシンボルの後に追加するステップを含むことができる。好ましくは、この複写において最初の列または最後の列は選択されない。なぜなら、万一、最初の列または最後の列が複写されて、最初のＯＦＤＭＡシンボルの前にまたは最後のＯＦＤＭＡシンボルの後に追加されるとすれば、二つのパイロットサブキャリアが同一サブキャリアで時間軸に沿って連続して割り当てられるためである。したがって、好ましくは、２番目のＯＦＤＭＡシンボルまたは５番目のＯＦＤＭＡシンボルが複写のために選択される。
【００５４】
７個のＯＦＤＭＡシンボルで構成されるサブフレーム（すなわち、拡張サブフレーム）を生成するために、本発明の一実施例によるパイロット割当方法は、標準サブフレームのパイロット割当構造から、パイロットサブキャリアのために割り当てられない一つの‘列’を複写するステップ、及びこの複写された‘列’を、標準サブフレームのパイロット割当構造の最初のＯＦＤＭＡシンボルの前にまたは最後のＯＦＤＭＡシンボルの後に追加するステップを含むことができる。
【００５５】
一方、パイロットサブキャリアのために使われない一つの列を単に追加することだけでも、上記の構造と同じ構造を生成することができる。
【００５６】
７個のＯＦＤＭＡシンボルで構成されるサブフレーム（すなわち、拡張サブフレーム）を生成ために、本発明の一実施例によるパイロット割当方法は、標準サブフレームのパイロット割当構造から、パイロットサブキャリアのために使われない一つの列を複写するステップ、及びこの複写された一つの列を、標準サブフレームのパイロット割当構造の最初のＯＦＤＭＡシンボル及び最後のＯＦＤＭＡシンボル間のいずれかの位置に追加するステップを含むことができる。
【００５７】
一方、パイロットサブキャリアのために使われない一つの列を単に追加することだけで、上記と同じ構造を生成できるということは自明である。
【００５８】
実施例１乃至実施例３の説明のために、６個のサブキャリアと６個のＯＦＤＭＡシンボルを表す６＊６大きさの行列構造からなる“基本タイル（ｂａｓｅ  ｔｉｌｅ）”が定義される。図９に示すタイルを、実施例１乃至実施例３のための基本タイルとする。これらの実施例において、６＊６大きさの基本タイルの一つのＯＦＤＭＡシンボル列（以下、‘列’という。）が複写されそれがこの基本タイルに追加されることで、７個のＯＦＤＭＡシンボルで構成されるタイル（すなわち、拡張タイル）を生成したり、６＊６大きさの基本タイルの一つの‘列’を除去して、５個のＯＦＤＭＡシンボルで構成されるタイル（すなわち、縮小タイル）を生成したりする。
【実施例】
【００５９】
＜実施例１＞
図１３は、５個のＯＦＤＭＡシンボルで構成されるタイル（すなわち、縮小タイル（ｒｅｄｕｃｅｄ  ｔｉｌｅ））へのパイロット割当構造を示す図である。
【００６０】
５個のＯＦＤＭＡシンボルで構成されるタイル（すなわち、縮小タイル）を生成するために、本発明の一実施例によるパイロット割当方法は、上述した６＊６大きさの基本タイルから一個の列を除去するステップを含むことができる。この場合、３番目または４番目の列を基本タイルから除去することができる。
【００６１】
図１３に示すパイロット割当構造で、各アンテナに対するパイロットがマッピングされる位置は、下記のように表現することができる。
【００６２】
［図１３に対するパイロット割当インデックス］
アンテナ１
ｓ＝０のＯＦＤＭＡシンボル：Ｉ（ｋ）＝６ｋ
ｓ＝１のＯＦＤＭＡシンボル：Ｉ（ｋ）＝６ｋ＋５
ｓ＝３のＯＦＤＭＡシンボル：Ｉ（ｋ）＝６ｋ
ｓ＝４のＯＦＤＭＡシンボル：Ｉ（ｋ）＝６ｋ＋５
アンテナ２
ｓ＝０のＯＦＤＭＡシンボル：Ｉ（ｋ）＝６ｋ＋５
ｓ＝１のＯＦＤＭＡシンボル：Ｉ（ｋ）＝６ｋ
ｓ＝３のＯＦＤＭＡシンボル：Ｉ（ｋ）＝６ｋ＋５
ｓ＝４のＯＦＤＭＡシンボル：Ｉ（ｋ）＝６ｋ
ここで、Ｉ（ｋ）（ｋ＝０，１，…）は、サブキャリアインデックスを表し、ｓ＝［ＯＦＤＭＡシンボルインデックスｊ］  ｍｏｄ  ５である（ただし、ＯＦＤＭＡシンボルインデックスｊ＝０，１，２，…）。
【００６３】
＜実施例２＞
図１４は、７個のＯＦＤＭＡシンボルで構成されているタイル（すなわち、拡張タイル）へのパイロット割当構造を示す図である。
【００６４】
７個のＯＦＤＭＡシンボルで構成されるタイル（すなわち、拡張タイル）を生成するために、本発明の一実施例によるパイロット割当方法は、６＊６大きさの基本タイルの２番目のＯＦＤＭＡシンボルと５番目のＯＦＤＭＡシンボルとの間の任意の位置に、パイロットサブキャリアのために使われない一つの‘列’を挿入するステップを含むことができる。
【００６５】
図１４に示すパイロット割当構造で、各アンテナに対するパイロットがマッピングされる位置は、下記のように表現することができる。
【００６６】
［図１４に対するパイロット割当インデックス］
アンテナ１
ｓ＝０のＯＦＤＭＡシンボル：Ｉ（ｋ）＝６ｋ
ｓ＝１のＯＦＤＭＡシンボル：Ｉ（ｋ）＝６ｋ＋５
ｓ＝５のＯＦＤＭＡシンボル：Ｉ（ｋ）＝６ｋ
ｓ＝６のＯＦＤＭＡシンボル：Ｉ（ｋ）＝６ｋ＋５
アンテナ２
ｓ＝０のＯＦＤＭＡシンボル：Ｉ（ｋ）＝６ｋ＋５
ｓ＝１のＯＦＤＭＡシンボル：Ｉ（ｋ）＝６ｋ
ｓ＝５のＯＦＤＭＡシンボル：Ｉ（ｋ）＝６ｋ＋５
ｓ＝６のＯＦＤＭＡシンボル：Ｉ（ｋ）＝６ｋ
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００６７】
＜実施例３＞
図１５及び図１６は、７個のＯＦＤＭＡシンボルで構成されているタイル（すなわち、拡張タイル）へのパイロット割当構造を示す図である。
【００６８】
７個のＯＦＤＭＡシンボルで構成されるタイル（すなわち、拡張タイル）を生成するために、本発明の一実施例によるパイロット割当方法は、パイロットサブキャリアがマッピングされない一つの‘列’を、６＊６大きさの基本タイルのパイロット割当構造の最後のＯＦＤＭＡシンボルの後に追加する（図１５）、または、６＊６大きさの基本タイルの最初のＯＦＤＭＡシンボルの前に追加する（図１６）ステップを含むことができる。
【００６９】
また、このパイロット割当方法は、６＊６大きさの基本タイルのパイロット割当構造から、パイロットサブキャリアがマッピングされない一つの‘列’を複写するステップ、及びこの複写された一つの‘列’を、６＊６大きさの基本タイルのパイロット割当構造の最後のＯＦＤＭＡシンボルの後に追加する（図１５）、または、６＊６大きさの基本タイルの最初のＯＦＤＭＡシンボルの前に追加する（図１６）ステップを含むことができる。
【００７０】
図１５及び図１６に示すパイロット割当構造で、各アンテナに対するパイロットがマッピングされる位置は、下記のように表現することができる。
【００７１】
［図１５に対するパイロット割当インデックス］
アンテナ１
ｓ＝０のＯＦＤＭＡシンボル：Ｉ（ｋ）＝６ｋ
ｓ＝１のＯＦＤＭＡシンボル：Ｉ（ｋ）＝６ｋ＋５
ｓ＝４のＯＦＤＭＡシンボル：Ｉ（ｋ）＝６ｋ
ｓ＝５のＯＦＤＭＡシンボル：Ｉ（ｋ）＝６ｋ＋５
アンテナ２
ｓ＝０のＯＦＤＭＡシンボル：Ｉ（ｋ）＝６ｋ＋５
ｓ＝１のＯＦＤＭＡシンボル：Ｉ（ｋ）＝６ｋ
ｓ＝４のＯＦＤＭＡシンボル：Ｉ（ｋ）＝６ｋ＋５
ｓ＝５のＯＦＤＭＡシンボル：Ｉ（ｋ）＝６ｋ
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただ、ＯＦＤＭＡシンボルインデックスｊ＝０，１，２，…）。
【００７２】
［図１６に対するパイロット割当インデックス］
アンテナ１
ｓ＝１のＯＦＤＭＡシンボル：Ｉ（ｋ）＝６ｋ
ｓ＝２のＯＦＤＭＡシンボル：Ｉ（ｋ）＝６ｋ＋５
ｓ＝５のＯＦＤＭＡシンボル：Ｉ（ｋ）＝６ｋ
ｓ＝６のＯＦＤＭＡシンボル：Ｉ（ｋ）＝６ｋ＋５
アンテナ２
ｓ＝１のＯＦＤＭＡシンボル：Ｉ（ｋ）＝６ｋ＋５
ｓ＝２のＯＦＤＭＡシンボル：Ｉ（ｋ）＝６ｋ
ｓ＝５のＯＦＤＭＡシンボル：Ｉ（ｋ）＝６ｋ＋５
ｓ＝６のＯＦＤＭＡシンボル：Ｉ（ｋ）＝６ｋ
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００７３】
要するに、図１３乃至図１６に示す本発明の実施例１乃至実施例３は、図９に示す従来のパイロット割当方式が向上したものである。
【００７４】
実施例４乃至実施例６の説明のために、４個のサブキャリアと６個のＯＦＤＭＡシンボルを表す４＊６行列構造を有する標準サブフレームが定義される。図１０及び図１１に示すサブフレームは、実施例４乃至実施例６に対する標準サブフレームである。これらの実施例において、６＊６大きさの標準サブフレームの一つのＯＦＤＭＡシンボル列（以下、‘列’という。）を複写しこの標準サブフレームに追加して、７個のＯＦＤＭＡシンボルで構成されるサブフレーム（すなわち、拡張サブフレーム）を生成する、または、６＊６大きさの標準サブフレームの一つの‘列’を除去して、５個のＯＦＤＭＡシンボルで構成されるサブフレーム（すなわち、縮小サブフレーム）を生成する。
【００７５】
＜実施例４＞
図１７及び図１８は、５個のＯＦＤＭＡシンボルで構成されているサブフレーム（すなわち、縮小サブフレーム）へのパイロット割当構造を示す図である。
【００７６】
５個のＯＦＤＭＡシンボルで構成されるサブフレーム（すなわち、縮小サブフレーム）を生成するために、本発明の一実施例によるパイロット割当方法は、上述した標準サブフレームから一個の‘列’を除去するステップを含むことができる。この場合、標準サブフレームの３番目の列または４番目の列が除去される。図１７に示すパイロット割当は、図１０に示すパイロット割当から生成されたものであり、図１８に示すパイロット割当は、図１１に示すパイロット割当から生成されたものである。
【００７７】
図１７において、‘ｌ’が、５個のＯＦＤＭＡシンボルで構成されるサブフレームにおけるＯＦＤＭＡシンボルインデックスを表すとすれば、ｉ番目のアンテナ、ＯＦＤＭＡシンボルインデックス‘ｌ’、及びｓ番目のタイルに割り当てられるパイロットサブキャリアは、下記のように定義される。
Ｐｉｌｏｔｉ（ｓ，ｌ）＝４ｓ＋Ｉ  ｍｏｄ  ２、ｉｆ  ｌ∈｛０，３｝
Ｐｉｌｏｔｉ（ｓ，ｌ）＝４ｓ＋Ｉ  ｍｏｄ  ２＋２、ｉｆ  ｌ∈｛１，４｝
図１８に示すパイロット割当構造で、各アンテナに対するパイロットがマッピングされる位置は、下記のように表現することができる。
【００７８】
［図１８に対するパイロット割当インデックス］
アンテナ１
ｓ＝０のＯＦＤＭＡシンボル：Ｉ（ｋ）＝４ｋ
ｓ＝１のＯＦＤＭＡシンボル：Ｉ（ｋ）＝４ｋ＋２
ｓ＝３のＯＦＤＭＡシンボル：Ｉ（ｋ）＝４ｋ＋１
ｓ＝４のＯＦＤＭＡシンボル：Ｉ（ｋ）＝４ｋ＋３
アンテナ２
ｓ＝０のＯＦＤＭＡシンボル：Ｉ（ｋ）＝４ｋ＋１
ｓ＝１のＯＦＤＭＡシンボル：Ｉ（ｋ）＝４ｋ＋３
ｓ＝３のＯＦＤＭＡシンボル：Ｉ（ｋ）＝４ｋ
ｓ＝４のＯＦＤＭＡシンボル：Ｉ（ｋ）＝４ｋ＋２
ここで、Ｉ（ｋ）（ｋ＝０，１，…）は、サブキャリアインデックスを表し、ｓ＝［ＯＦＤＭＡシンボルインデックスｊ］  ｍｏｄ  ５である（ただし、ＯＦＤＭＡシンボルインデックスｊ＝０，１，２，…）。
【００７９】
＜実施例５＞
図１９及び図２０は、７個のＯＦＤＭＡシンボルで構成されるサブフレーム（すなわち、拡張サブフレーム）へのパイロット割当構造を示す図である。
【００８０】
７個のＯＦＤＭＡシンボルで構成されるサブフレーム（すなわち、拡張サブフレーム）を生成するために、本発明の一実施例によるパイロット割当方法は、標準サブフレームの２番目のＯＦＤＭＡシンボル及び５番目のＯＦＤＭＡシンボルとの間の任意の位置に、パイロットサブキャリアのために使われない一つの‘列’を挿入するステップを含むことができる。
【００８１】
また、本発明の一実施例によるパイロット割当方法は、標準サブフレームのパイロット割当構造から、パイロットサブキャリアが割り当てられない一つの‘列’を複写するステップ、及び標準サブフレームの２番目のＯＦＤＭＡシンボル及び５番目のＯＦＤＭＡシンボルとの間の任意の位置に、この複写された一つの‘列’を挿入するステップを含むこともできる。
【００８２】
図１９に示すパイロット割当は、図１０に示すパイロット割当から生成されたものであり、図２０に示すパイロット割当は、図１１に示すパイロット割当から生成されたものである。
【００８３】
図１９において、‘ｌ’が、５個のＯＦＤＭＡシンボルで構成されるサブフレームにおけるＯＦＤＭＡシンボルインデックスを表すとすれば、ｉ番目のアンテナ、ＯＦＤＭＡシンボルインデックス‘ｌ’、及びｓ番目のタイルに割り当てられるパイロットサブキャリアは、下記のように定義される。
Ｐｉｌｏｔｉ（ｓ，ｌ）＝４ｓ＋ｉ  ｍｏｄ  ２、ｉｆ  ｌ∈｛０，５｝
Ｐｉｌｏｔｉ（ｓ，ｌ）＝４ｓ＋Ｉ  ｍｏｄ  ２＋２、ｉｆ  ｌ∈｛１，６｝
図２０に示すパイロット割当構造で、各アンテナに対するパイロットがマッピングされる位置は、下記のように表現することができる。
【００８４】
［図２０に対するパイロット割当インデックス］
アンテナ１
ｓ＝０のＯＦＤＭＡシンボル：Ｉ（ｋ）＝４ｋ
ｓ＝１のＯＦＤＭＡシンボル：Ｉ（ｋ）＝４ｋ＋２
ｓ＝５のＯＦＤＭＡシンボル：Ｉ（ｋ）＝４ｋ＋１
ｓ＝６のＯＦＤＭＡシンボル：Ｉ（ｋ）＝４ｋ＋３
アンテナ２
ｓ＝０のＯＦＤＭＡシンボル：Ｉ（ｋ）＝４ｋ＋１
ｓ＝１のＯＦＤＭＡシンボル：Ｉ（ｋ）＝４ｋ＋３
ｓ＝５のＯＦＤＭＡシンボル：Ｉ（ｋ）＝４ｋ
ｓ＝６のＯＦＤＭＡシンボル：Ｉ（ｋ）＝４ｋ＋２
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００８５】
＜実施例６＞
図２１乃至図２４は、７個のＯＦＤＭＡシンボルで構成されるサブフレーム（すなわち、拡張サブフレーム）へのパイロット割当構造を示す図である。
【００８６】
７個のＯＦＤＭＡシンボルで構成されるサブフレーム（すなわち、拡張サブフレーム）を生成するために、本発明の一実施例によるパイロット割当方法は、パイロット割当のために使われない一つの‘列’を、標準サブフレームのパイロット割当構造の最後のＯＦＤＭＡシンボルの後に（図２１または図２２）、または標準サブフレームのパイロット割当構造の最初のＯＦＤＭＡシンボルの前に（図２３または図２４）追加するステップを含むことができる。
【００８７】
また、本発明の一実施例によるパイロット割当方法は、標準サブフレームのパイロット割当構造から、パイロットサブキャリアのために使われない一つの‘列’を複写するステップ、及びこの複写された一つの‘列’を、標準サブフレームのパイロット割当構造の最後のＯＦＤＭＡシンボルの後に（図２１または図２２）、または標準サブフレームのパイロット割当構造の最初のＯＦＤＭＡシンボルの前に（図２３または図２４）追加するステップを含むこともできる。
【００８８】
図２１及び図２３に示すパイロット割当は、図１０に示すパイロット割当から生成されたものであり、図２２及び図２４に示すパイロット割当は、図１１に示すパイロット割当から生成されたものである。
【００８９】
図２１乃至図２４に示すパイロット割当構造において、アンテナに対するパスロット割当インデックスは、下記のように詳しく表現することがことができる。
【００９０】
図２１において、‘ｌ’が、７個のＯＦＤＭＡシンボルで構成されるサブフレームにおけるＯＦＤＭＡシンボルインデックスを表すもので、ｌ∈｛０，１，４，５｝を満たすとすれば、ｉ番目のアンテナ、ＯＦＤＭＡシンボルインデックス‘ｌ’、及びｓ番目のタイルに割り当てられるパイロットサブキャリアは、下記のように定義される。
【００９１】
【数１】
2011517516.tif 000004
図２２に示すパイロット割当構造において、各アンテナに対するパイロットがマッピングされる位置は、下記のように詳しく表現することができる。
【００９２】
［図２２に対するパイロット割当インデックス］
アンテナ１
ｓ＝０のＯＦＤＭＡシンボル：Ｉ（ｋ）＝４ｋ
ｓ＝１のＯＦＤＭＡシンボル：Ｉ（ｋ）＝４ｋ＋２
ｓ＝４のＯＦＤＭＡシンボル：Ｉ（ｋ）＝４ｋ＋１
ｓ＝５のＯＦＤＭＡシンボル：Ｉ（ｋ）＝４ｋ＋３
アンテナ２
ｓ＝０のＯＦＤＭＡシンボル：Ｉ（ｋ）＝４ｋ＋１
ｓ＝１のＯＦＤＭＡシンボル：Ｉ（ｋ）＝４ｋ＋３
ｓ＝４のＯＦＤＭＡシンボル：Ｉ（ｋ）＝４ｋ
ｓ＝５のＯＦＤＭＡシンボル：Ｉ（ｋ）＝４ｋ＋２
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００９３】
図２３において、‘ｌ’が、７個のＯＦＤＭＡシンボルで構成されるサブフレームにおけるＯＦＤＭＡシンボルインデックスを表すもので、ｌ∈｛１，２，５，６｝を満すとすれば、ｉ番目のアンテナ、ＯＦＤＭＡシンボルインデックス‘ｌ’、及びｓ番目のタイルに割り当てられるパイロットサブキャリアは、下記のように定義される。
【００９４】
［図２３に対するパイロット割当インデックス］
アンテナ１
ｓ＝１のＯＦＤＭＡシンボル：Ｉ（ｋ）＝４ｋ
ｓ＝２のＯＦＤＭＡシンボル：Ｉ（ｋ）＝４ｋ＋２
ｓ＝５のＯＦＤＭＡシンボル：Ｉ（ｋ）＝４ｋ
ｓ＝６のＯＦＤＭＡシンボル：Ｉ（ｋ）＝４ｋ＋２
アンテナ２
ｓ＝１のＯＦＤＭＡシンボル：Ｉ（ｋ）＝４ｋ＋１
ｓ＝２のＯＦＤＭＡシンボル：Ｉ（ｋ）＝４ｋ＋３
ｓ＝５のＯＦＤＭＡシンボル：Ｉ（ｋ）＝４ｋ＋１
ｓ＝６のＯＦＤＭＡシンボル：Ｉ（ｋ）＝４ｋ＋３
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００９５】
図２４に示すパイロット割当構造において、各アンテナに対するパイロットがマッピングされる位置は、下記のように表現することができる。
【００９６】
［図２４に対するパイロット割当インデックス］
アンテナ１
ｓ＝１のＯＦＤＭＡシンボル：Ｉ（ｋ）＝４ｋ
ｓ＝２のＯＦＤＭＡシンボル：Ｉ（ｋ）＝４ｋ＋２
ｓ＝５のＯＦＤＭＡシンボル：Ｉ（ｋ）＝４ｋ＋１
ｓ＝６のＯＦＤＭＡシンボル：Ｉ（ｋ）＝４ｋ＋３
アンテナ２
ｓ＝１のＯＦＤＭＡシンボル：Ｉ（ｋ）＝４ｋ＋１
ｓ＝２のＯＦＤＭＡシンボル：Ｉ（ｋ）＝４ｋ＋３
ｓ＝５のＯＦＤＭＡシンボル：Ｉ（ｋ）＝４ｋ
ｓ＝６のＯＦＤＭＡシンボル：Ｉ（ｋ）＝４ｋ＋２
ここで、Ｉ（ｋ）（ｋ＝０，１，…）は、サブキャリアインデックスを表し、ｓ＝［ＯＦＤＭＡシンボルインデックスｊ］  ｍｏｄ  ７である（ただし、ＯＦＤＭＡシンボルインデックスｊ＝０，１，２，…）。
【００９７】
要するに、図１７、図１９、図２１及び図２３に示す本発明の実施例は、図１０に示す従来のパイロット割当から改善されたものである。そして、図１８、図２０、図２２及び図２４に示された本発明の実施例は、図１１に示す従来のパイロット割当から改善されたものである。
【００９８】
（４Ｔｘシステムに対する実施例）
後述する実施例７乃至実施例９は、４Ｔｘシステムに関するものである。
【００９９】
実施例１０乃至実施例１２の説明のために、１８個のサブキャリアと６個のＯＦＤＭＡシンボルを表す１８＊６行列構造を有する標準サブフレームが定義される。図１２に示すサブフレームは、実施例７乃至実施例９で使用される標準サブフレームである。これらの実施例において、６＊６大きさの標準サブフレームの一つのＯＦＤＭＡシンボル列（以下、‘列’という。）が複写されこの標準サブフレームに追加されて、７個のＯＦＤＭＡシンボルで構成されるサブフレーム（すなわち、拡張サブフレーム）を生成する、または、６＊６大きさの標準サブフレームの一つの‘列’が除去されて、５個のＯＦＤＭＡシンボルで構成されるサブフレーム（すなわち、縮小サブフレーム）を生成する。
【０１００】
＜実施例７＞
図２５は、５個のＯＦＤＭＡシンボルで構成されるサブフレーム（すなわち、縮小サブフレーム）のパイロット割当構造を示す図である。
【０１０１】
５個のＯＦＤＭＡシンボルで構成されるサブフレーム（すなわち、縮小サブフレーム）を生成するために、本発明の一実施例によるパイロット割当方法は、上述した標準サブフレームから一つの‘列’を除去するステップを含むことができる。この場合、標準サブフレームから３番目または４番目の列が除去される。
【０１０２】
図２５に示すパイロット割当構造において、各アンテナに対するパイロットがマッピングされる位置は、下記のように表現することができる。‘ｌ’が、５個のＯＦＤＭＡシンボルで構成されるサブフレームにおけるＯＦＤＭＡシンボルインデックスを表すもので、ｌ∈｛０，１、３、４｝を満すとすれば、ｉ番目のアンテナ、ＯＦＤＭＡシンボルインデックス‘ｌ’、及びｋ番目のＰＲＵ（物理リソースユニット；Ｐｈｙｓｉｃａｌ  Ｒｅｓｏｕｒｃｅ  Ｕｎｉｔ）に割り当てられるパイロットサブキャリアは、下記のように定義される。
【０１０３】
【数２】
2011517516.tif 000005
＜実施例８＞
図２６は、７個のＯＦＤＭＡシンボルで構成されるサブフレーム（すなわち、拡張サブフレーム）のパイロット割当構造を示す図である。
【０１０４】
７個のＯＦＤＭＡシンボルで構成されるサブフレーム（すなわち、拡張サブフレーム）を生成するために、本発明の一実施例によるパイロット割当方法は、上記の標準サブフレームの２番目のＯＦＤＭＡシンボルと５番目のＯＦＤＭＡシンボルとの間の任意の位置に、パイロットサブキャリアのために使われない一つの‘列’を挿入するステップを含むことができる。
【０１０５】
また、本発明の一実施例によるパイロット割当方法は、標準サブフレームのパイロット割当構造から、パイロットサブキャリアのために使われない一つの‘列’を複写するステップ、及びこの複写された一つの‘列’を、標準サブフレームの２番目のＯＦＤＭＡシンボルと５番目のＯＦＤＭＡシンボルとの間の任意の位置に挿入するステップを含むこともできる。
【０１０６】
図２６に示すパイロット割当構造において、各アンテナに対するパイロットがマッピングされる位置は、下記のように表現することができる。
【０１０７】
‘ｌ’が、７個のＯＦＤＭＡシンボルで構成されるサブフレームにおけるＯＦＤＭＡシンボルインデックスを表すもので、ｌ∈｛０，１，５，６｝を満すとすれば、ｉ番目のアンテナ、ＯＦＤＭＡシンボルインデックス‘ｌ’、及びｋ番目のＰＲＵに割り当てられるパイロットサブキャリアは、下記のように定義される。
【０１０８】
【数３】
2011517516.tif 000006
＜実施例９＞
図２７及び図２８は、７個のＯＦＤＭＡシンボルで構成されるサブフレーム（すなわち、拡張サブフレーム）のパイロット割当構造を示す図である。
【０１０９】
７個のＯＦＤＭＡシンボルで構成されるサブフレーム（すなわち、拡張サブフレーム）を生成するために、本発明の一実施例によるパイロット割当方法は、パイロットサブキャリアのために使われない一つの‘列’を、上記の標準サブフレームのパイロット割当構造の最後のＯＦＤＭＡシンボルの後に（図２７）、または標準サブフレームのパイロット割当構造の最初のＯＦＤＭＡシンボルの前に（図２８）挿入するステップを含むことができる。
【０１１０】
また、本発明の一実施例によるパイロット割当方法は、標準サブフレームのパイロット割当構造からパイロットサブキャリアのために使われない一つの‘列’を複写するステップ、及びこの複写された一つの‘列’を標準サブフレームのパイロット割当構造の最後のＯＦＤＭＡシンボルの後に（図２７）、または標準サブフレームのパイロット割当構造の最初のＯＦＤＭＡシンボルの前に（図２８）追加するステップを含むこともできる。
【０１１１】
図２７及び図２８に示すパイロット割当構造において、各アンテナに対するパイロットがマッピングされる位置は、下記のように詳しく表現することができる。
【０１１２】
図２７に対して、‘ｌ’が７個のＯＦＤＭＡシンボルで構成されるサブフレームにおけるＯＦＤＭＡシンボルインデックスを表すもので、ｌ∈｛０，１，４，５｝を満すとすれば、ｉ番目のアンテナ、ＯＦＤＭＡシンボルインデックス‘ｌ’、及びｋ番目のＰＲＵに割り当てられるパイロットサブキャリアは、下記のように定義される。
【０１１３】
【数４】
2011517516.tif 000007
図２８に対して、‘ｌ’が７個のＯＦＤＭＡシンボルで構成されるサブフレームにおけるＯＦＤＭＡシンボルインデックスを表すもので、ｌ∈｛１，２，５，６｝を満すとすれば、ｉ番目のアンテナ、ＯＦＤＭＡシンボルインデックス‘ｌ’、及びｋ番目のＰＲＵに割り当てられるパイロットサブキャリアは、下記のように定義される。
【０１１４】
【数５】
2011517516.tif 000008
要するに、図２５乃至図２８に示す本発明の実施例７乃至実施例９は、図１２の従来のパイロット割当が改善されたものである。このような改善を、下記の表２に要約する。
【０１１５】
【表２】
2011517516.tif 000009
また、図２７のパイロット割当構造は、図２６のパイロット割当構造に比べてより良い性能を提供する。これは、図２７におけるパイロットシンボル間の距離が、図２６に比べてより短いためチャンネル推定性能が減少しないからである。また、図２７のパイロット割当構造は、従来のパイロット割当との後方互換性（ｂａｃｋｗａｒｄｓ  ｃｏｍｐａｔｉｂｉｌｉｔｙ）に関する相互運用性（ｉｎｔｅｒｏｐｅｒａｂｉｌｉｔｙ）及び／または減少された複雑性の側面で、図２８のパイロット割当構造に比べて具現しやすい。
【０１１６】
以上の本発明の実施例において、送信アンテナのためのパイロットサブキャリアの一部分は、共通パイロット（ｃｏｍｍｏｎ  ｐｉｌｏｔ）のために用いることができ、他の部分は、専用パイロット（ｄｅｄｉｃａｔｅｄ  ｐｉｌｏｔ）のために用いることができる。また、送信アンテナのためのパイロットサブキャリアをいずれも共通パイロットのために用いることもでき、送信アンテナのためのパイロットサブキャリアをいずれも専用パイロットのために用いることもできる。
【０１１７】
また、連続して割り当てられたパイロットサブキャリア以外のデータサブキャリアを使用することによって、これらのデータサブキャリアが２の倍数で連続して対をなすことができる。その結果、空間周波数ブロックコード（Ｓｐａｃｅ  Ｆｒｅｑｕｅｎｃｙ  Ｂｌｏｃｋ  Ｃｏｄｅ；ＳＦＢＣ）のＭＩＭＯ方式が容易に適用されることができ、共通パイロット及び専用パイロットが效率的に適用される。すなわち、以上の実施例のうち一つ以上に示すように、パイロットシンボルを互いに離隔することによって、ＳＦＢＣ方式を採択することが可能になる。また、時間領域でパイロット信号を偶数で組にして（ｐａｉｒｉｎｇ）グルーピングすることによって、空間時間ブロックコード（Ｓｐａｃｅ  Ｔｉｍｅ  Ｂｌｏｃｋ  Ｃｏｄｅ；  ＳＴＢＣ）方式を採択することが可能になる。
【０１１８】
以前の論議は、ＯＦＤＭＡ変調を中心に行われた。しかし、本発明は、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；  ＯＦＤＭ）シナリオにも適用することができる。
【０１１９】
上記の機能は、これらの機能を行うためにコーディングされたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、マイクロプロセッサ、コントローラ、またはマイクロコントローラのようなプロセッサにより行うことができる。そのためのコードの設計、開発及び具現は、本発明の詳細な説明に基づいて当業者なら明白に実行することができる。
【０１２０】
本発明によるパイロットサブキャリア割当方法は、ＩＥＥＥ  ８０２．１６ｍシステムに適用可能である。上述したように、送信電力をアンテナに同一に割り当てるためのパイロット配列のような基本原理またはパイロットシフトパターンセッティング（ｐｉｌｏｔ  ｓｈｉｆｔ  ｐａｔｔｅｒｎ  ｓｅｔｔｉｎｇ）は、同一の方法により別の無線通信システムにも適用可能である。
【０１２１】
本発明の思想を逸脱しない限度内で本発明に対する様々な変形が可能であるということは、当業者には自明である。したがって、本発明からの様々な変形が、ここに請求された請求の範囲及びその均等範囲に属する限り、本発明により保護されるよう意図した。
【産業上の利用可能性】
【０１２２】
本発明は、無線移動通信システムのネットワーク装置に適用することができる。
【図１】
2011517516.tif 000010
【図２】
2011517516.tif 000011
【図３】
2011517516.tif 000012
【図４】
2011517516.tif 000013
【図５】
2011517516.tif 000014
【図６】
2011517516.tif 000015
【図７】
2011517516.tif 000016
【図８】
2011517516.tif 000017
【図９】
2011517516.tif 000018
【図１０】
2011517516.tif 000019
【図１１】
2011517516.tif 000020
【図１２】
2011517516.tif 000021
【図１３】
2011517516.tif 000022
【図１４】
2011517516.tif 000023
【図１５】
2011517516.tif 000024
【図１６】
2011517516.tif 000025
【図１７】
2011517516.tif 000026
【図１８】
2011517516.tif 000027
【図１９】
2011517516.tif 000028
【図２０】
2011517516.tif 000029
【図２１】
2011517516.tif 000030
【図２２】
2011517516.tif 000031
【図２３】
2011517516.tif 000032
【図２４】
2011517516.tif 000033
【図２５】
2011517516.tif 000034
【図２６】
2011517516.tif 000035
【図２７】
2011517516.tif 000036
【図２８】
2011517516.tif 000037
【手続補正書】
【提出日】平成22年9月14日(2010.9.14)
【手続補正１】
【補正対象書類名】明細書
【補正対象項目名】００１６
【補正方法】変更
【補正の内容】
【００１６】
本発明の他の様相による、ＯＦＤＭＡ変調を用いる複数個の送信アンテナを有する無線通信システムは、ＭＩＭＯアンテナ、前記ＭＩＭＯアンテナに作動可能に連結されたＯＦＤＭＡ変調器、及び前記ＯＦＤＭＡ変調器に作動可能に連結されたプロセッサを含む。ここで、前記プロセッサは、前記リソースブロックのうち、４個のＯＦＤＭＡシンボルのみがパイロットサブキャリアのために割り当てられるように、パイロットサブキャリアをリソースブロックに割り当てるように構成され、ここで、前記リソースブロックは、５個のＯＦＤＭＡシンボルを有し、インデックスナンバーｐが（ｐ＋１）番目のＯＦＤＭＡシンボルを表すとする時、前記４個のＯＦＤＭＡシンボルに対するＯＦＤＭＡシンボルインデックスナンバーは、０、１、３、４である。
（項目１）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信することと、
１８個のサブキャリア及び７個のＯＦＤＭＡシンボルを表す１８＊７大きさの行列の形態のリソースブロックを生成するために、前記ＯＦＤＭＡ信号を復調することと、
前記７個のＯＦＤＭＡシンボルのうち単に４個のＯＦＤＭＡシンボルにのみわたって分散した４個のパイロットシンボルを検出することであって、パイロットシンボルを含むそれぞれのＯＦＤＭＡシンボル内で、１番目のパイロットシンボルと２番目のパイロットシンボルは４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、ことと、
前記検出された４個のパイロットシンボルに基づいてチャンネル推定を行うことと、
を含む、無線通信機器と通信する方法。
（項目２）
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、項目１に記載の方法。
（項目３）
前記パイロットシンボルＰ２、Ｐ３、Ｐ０、及びＰ１は、２番目のＯＦＤＭＡシンボル内の１番目、２番目、３番目、及び４番目のパイロットシンボルである、項目２に記載の方法。
（項目４）
前記パイロットシンボルＰ１、Ｐ０、Ｐ３、及びＰ２は、５番目のＯＦＤＭＡシンボル内の１番目、２番目、３番目、及び４番目のパイロットシンボルである、項目３に記載の方法。
（項目５）
前記パイロットシンボルＰ３、Ｐ２、Ｐ１、及びＰ０は、６番目のＯＦＤＭＡシンボル内の１番目、２番目、３番目、及び４番目のパイロットシンボルである、項目４に記載の方法。
（項目６）
前記７個のＯＦＤＭＡシンボルのうち単に４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、項目１に記載の方法。
（項目７）
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記７個のＯＦＤＭＡシンボルのうち４個のＯＦＤＭＡシンボルにのみわたって分散した４個のパイロットシンボルを検出するステップは、インデックスナンバー（０，１，４，５）に対応する位置のパイロットシンボルを検出することを含む、項目１に記載の方法。
（項目８）
前記チャンネル推定を行うステップの出力をＭＩＭＯ後処理することと、
入力シンボルを、対応するコードワードにデマッピングすることと、
前記コードワードをデコーディングすることと、
をさらに含む、項目１に記載の方法。
（項目９）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信された直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調信号を受信することと、
１８個のサブキャリア及び５個のＯＦＤＭＡシンボルを表す１８＊５大きさの行列の形態のリソースブロックを生成するように前記ＯＦＤＭＡ信号を復調することと、
前記５個のＯＦＤＭＡシンボルのうち４個のＯＦＤＭＡシンボルにのみわたって分散した４個のパイロットシンボルを検出することと、
前記検出された４個のパイロットシンボルに基づいてチャンネル推定を行うことと、
を含み、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは４個のサブキャリアだけ離れている、方法。
（項目１０）
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、項目９に記載の方法。
（項目１１）
前記パイロットシンボルＰ２、Ｐ３、Ｐ０、及びＰ１は、２番目のＯＦＤＭＡシンボル内の１番目、２番目、３番目、及び４番目のパイロットシンボルである、項目１０に記載の方法。
（項目１２）
前記パイロットシンボルＰ１、Ｐ０、Ｐ３、及びＰ２は、５番目のＯＦＤＭＡシンボル内の１番目、２番目、３番目、及び４番目のパイロットシンボルである、項目１１に記載の方法。
（項目１３）
前記パイロットシンボルＰ３、Ｐ２、Ｐ１、及びＰ０は、６番目のＯＦＤＭＡシンボル内の１番目、２番目、３番目、及び４番目のパイロットシンボルである、項目１２に記載の方法。
（項目１４）
前記５個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、項目９に記載の方法。
（項目１５）
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記５個のＯＦＤＭＡシンボルのうち４個のＯＦＤＭＡシンボルにのみわたって分散した４個のパイロットシンボルを検出するステップは、インデックスナンバー（０，１，３，４）に対応する位置のパイロットシンボルを検出することを含む、項目９に記載の方法。
（項目１６）
前記チャンネル推定を行うステップの出力をＭＩＭＯ後処理することと、
入力シンボルを対応するコードワードにデマッピングすることと、
前記コードワードをデコーディングすることと、
をさらに含む、項目９に記載の方法。
（項目１７）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと７個のＯＦＤＭＡシンボルを表す１８＊７大きさの行列の形態のリソースブロックを生成するために、前記ＯＦＤＭＡ信号を復調するように構成された復調器と、
前記復調器に作動可能に連結されており、検出されたパイロットシンボルに基づいてチャンネル特性を推定するように構成されたチャンネル推定器であって、前記チャンネル推定器は、前記７個のＯＦＤＭＡシンボルのうち４個のＯＦＤＭＡシンボルにのみわたって分散した４個のパイロットシンボルを検出するように構成された、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
（項目１８）
前記４個のパイロットシンボルはパイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、項目１７に記載の移動無線通信機器。
（項目１９）
前記パイロットシンボルＰ２、Ｐ３、Ｐ０、及びＰ１は、２番目のＯＦＤＭＡシンボル内の１番目、２番目、３番目、及び４番目のパイロットシンボルである、項目１８に記載の移動無線通信機器。
（項目２０）
前記パイロットシンボルＰ１、Ｐ０、Ｐ３、及びＰ２は、５番目のＯＦＤＭＡシンボル内の１番目、２番目、３番目、及び４番目のパイロットシンボルである、項目１９に記載の移動無線通信機器。
（項目２１）
前記パイロットシンボルＰ３、Ｐ２、Ｐ１、及びＰ０は、６番目のＯＦＤＭＡシンボル内の１番目、２番目、３番目、及び４番目のパイロットシンボルである、項目２０に記載の移動無線通信機器。
（項目２２）
前記７個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、項目１７に記載の移動無線通信機器。
（項目２３）
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，４，５）に対応する位置のパイロットシンボルを検出するように構成されている、項目１７に記載の移動無線通信機器。
（項目２４）
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、項目１７に記載の移動無線通信機器。
（項目２５）
４個のアンテナを有する複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと５個のＯＦＤＭＡシンボルを表す１８＊５大きさの行列の形態のリソースブロックを生成するために、前記ＯＦＤＭＡ信号を復調するように構成された復調器と、
前記復調器に作動可能に連結されており、検出された４個のパイロットシンボルに基づいてチャンネル特性を推定するように構成されたチャンネル推定器であって、前記チャンネル推定器は、前記５個のＯＦＤＭＡシンボルのうち４個のＯＦＤＭＡシンボルにのみわたって分散している４個のパイロットシンボルを検出するように構成された、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
（項目２６）
前記４個のパイロットシンボルは、パイロットシンボルＰ０、Ｐ１、Ｐ２、Ｐ３を含み、前記パイロットシンボルＰ０、Ｐ１、Ｐ２、Ｐ３は、１番目のＯＦＤＭＡシンボル内の１番目、２番目、３番目、及び４番目のパイロットシンボルである、項目２５に記載の移動無線通信機器。
（項目２７）
前記パイロットシンボルＰ２、Ｐ３、Ｐ０、及びＰ１は、２番目のＯＦＤＭＡシンボル内の１番目、２番目、３番目、及び４番目のパイロットシンボルである、項目２６に記載の移動無線通信機器。
（項目２８）
前記パイロットシンボルＰ１、Ｐ０、Ｐ３、及びＰ２は、５番目のＯＦＤＭＡシンボル内の１番目、２番目、３番目、及び４番目のパイロットシンボルである、項目２７に記載の移動無線通信機器。
（項目２９）
前記パイロットシンボルＰ３、Ｐ２、Ｐ１、及びＰ０は、６番目のＯＦＤＭＡシンボル内の１番目、２番目、３番目、及び４番目のパイロットシンボルである、項目２８に記載の移動無線通信機器。
（項目３０）
前記５個のＯＦＤＭＡシンボルのうち４個のＯＦＤＭＡシンボルにのみわたって分散した前記４個のパイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、項目２５に記載の移動無線通信機器。
（項目３１）
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，３，４）に対応する位置のパイロットシンボルを検出するように構成されている、項目２５に記載の移動無線通信機器。
（項目３２）
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、項目２５に記載の移動無線通信機器。
【手続補正２】
【補正対象書類名】特許請求の範囲
【補正対象項目名】全文
【補正方法】変更
【補正の内容】
【特許請求の範囲】
【請求項１】
複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信することと、
１８個のサブキャリア及び７個のＯＦＤＭＡシンボルを表す１８＊７大きさの行列の形態のリソースブロックを生成するために、前記ＯＦＤＭＡ信号を復調することと、
４個のストリームのパイロットシンボルを検出することであって、前記パイロットシンボルは、前記７個のＯＦＤＭＡシンボルのうち４個のＯＦＤＭＡシンボルにのみわたって分散しており、パイロットシンボルを含むそれぞれのＯＦＤＭＡシンボル内で、１番目のパイロットシンボルと２番目のパイロットシンボルは４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、ことと、
前記検出されたパイロットシンボルに基づいてチャンネル推定を行うことと、
を含む、無線通信機器と通信する方法。
【請求項２】
パイロットシンボルＰ０、Ｐ１、Ｐ２、Ｐ３は、１番目のＯＦＤＭＡシンボル内の１番目、２番目、３番目、及び４番目のパイロットシンボルである、請求項１に記載の方法。
【請求項３】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項２に記載の方法。
【請求項４】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項１に記載の方法。
【請求項５】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項４に記載の方法。
【請求項６】
前記７個のＯＦＤＭＡシンボルのうち４個のＯＦＤＭＡシンボルにのみわたって分散した前記パイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、請求項１に記載の方法。
【請求項７】
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記７個のＯＦＤＭＡシンボルのうち４個のＯＦＤＭＡシンボルにのみわたって分散した前記パイロットシンボルを検出するステップは、インデックスナンバー（０，１，４，５）に対応する位置の前記パイロットシンボルを検出することを含む、請求項１に記載の方法。
【請求項８】
前記チャンネル推定を行うステップの出力をＭＩＭＯ後処理することと、
入力シンボルを、対応するコードワードにデマッピングすることと、
前記コードワードをデコーディングすることと、
をさらに含む、請求項１に記載の方法。
【請求項９】
複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信された直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調信号を受信することと、
１８個のサブキャリア及び５個のＯＦＤＭＡシンボルを表す１８＊５大きさの行列の形態のリソースブロックを生成するように前記ＯＦＤＭＡ信号を復調することと、
４個のストリームのパイロットシンボルを検出することであって、前記パイロットシンボルは、前記５個のＯＦＤＭＡシンボルのうち４個のＯＦＤＭＡシンボルにのみわたって分散している、ことと、
前記検出されたパイロットシンボルに基づいてチャンネル推定を行うことと、
を含み、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは４個のサブキャリアだけ離れている、無線通信機器と通信する方法。
【請求項１０】
パイロットシンボルＰ０、Ｐ１、Ｐ２、Ｐ３は、１番目のＯＦＤＭＡシンボル内の１番目、２番目、３番目、及び４番目のパイロットシンボルである、請求項９に記載の方法。
【請求項１１】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項１０に記載の方法。
【請求項１２】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項９に記載の方法。
【請求項１３】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項１２に記載の方法。
【請求項１４】
前記５個のＯＦＤＭＡシンボルのうち４個のＯＦＤＭＡシンボルにのみわたって分散した前記パイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、請求項９に記載の方法。
【請求項１５】
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
前記５個のＯＦＤＭＡシンボルのうち４個のＯＦＤＭＡシンボルにのみわたって分散した前記パイロットシンボルを検出するステップは、インデックスナンバー（０，１，３，４）に対応する位置の前記パイロットシンボルを検出することを含む、請求項９に記載の方法。
【請求項１６】
前記チャンネル推定を行うステップの出力をＭＩＭＯ後処理することと、
入力シンボルを対応するコードワードにデマッピングすることと、
前記コードワードをデコーディングすることと、
をさらに含む、請求項９に記載の方法。
【請求項１７】
複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと７個のＯＦＤＭＡシンボルを表す１８＊７大きさの行列の形態のリソースブロックを生成するために、前記ＯＦＤＭＡ信号を復調するように構成された復調器と、
前記復調器に作動可能に連結されており、検出されたパイロットシンボルに基づいてチャンネル特性を推定するするように構成されたチャンネル推定器であって、前記チャンネル推定器は４個のストリームのパイロットシンボルを検出するように構成されており、前記パイロットシンボルは、前記７個のＯＦＤＭＡシンボルのうち４個のＯＦＤＭＡシンボルにのみわたって分散している、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
【請求項１８】
パイロットシンボルＰ０、Ｐ１、Ｐ２、Ｐ３は、１番目のＯＦＤＭＡシンボル内の１番目、２番目、３番目、及び４番目のパイロットシンボルである、請求項１７に記載の移動無線通信機器。
【請求項１９】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項１８に記載の移動無線通信機器。
【請求項２０】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項１７に記載の移動無線通信機器。
【請求項２１】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項２０に記載の移動無線通信機器。
【請求項２２】
前記７個のＯＦＤＭＡシンボルのうち４個のＯＦＤＭＡシンボルにのみわたって分散した前記パイロットシンボルは、時間領域で連続したパイロットシンボルの第１対、及び時間領域で連続したパイロットシンボルの第２対を含み、前記第２対は、前記第１対から、パイロットシンボルを含まない２個のＯＦＤＭＡシンボルだけ離れている、請求項１７に記載の移動無線通信機器。
【請求項２３】
前記１８＊７大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，４，５）に対応する位置のパイロットシンボルを検出するように構成されている、請求項１７に記載の移動無線通信機器。
【請求項２４】
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、請求項１７に記載の移動無線通信機器。
【請求項２５】
複数入力複数出力（Ｍｕｌｔｉｐｌｅ  Ｉｎｐｕｔ  Ｍｕｌｔｉｐｌｅ  Ｏｕｔｐｕｔ；ＭＩＭＯ）アンテナシステムから送信される直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）変調された信号を受信するように構成された受信機と、
前記受信機に作動可能に連結されており、１８個のサブキャリアと５個のＯＦＤＭＡシンボルを表す１８＊５大きさの行列の形態のリソースブロックを生成するために、前記ＯＦＤＭＡ信号を復調するように構成された復調器と、
前記復調器に作動可能に連結されており、検出された４個のパイロットシンボルに基づいてチャネル特性を推定するように構成されたチャンネル推定器であって、前記チャンネル推定器は、４個のストリームのパイロットシンボルを検出するように構成され、前記パイロットシンボルは、前記５個のＯＦＤＭＡシンボルのうち４個のＯＦＤＭＡシンボルにのみわたって分散している、チャンネル推定器と
を含む移動無線通信機器であって、
パイロットシンボルを含むそれぞれのＯＦＤＭＡシンボル内で、１番目のパイロットシンボルと２番目のパイロットシンボルは、４個のサブキャリアだけ離れており、前記２番目のパイロットシンボルと３番目のパイロットシンボルは、６個のサブキャリアだけ離れており、前記３番目のパイロットシンボルと４番目のパイロットシンボルは、４個のサブキャリアだけ離れている、移動無線通信機器。
【請求項２６】
パイロットシンボルＰ０、Ｐ１、Ｐ２、Ｐ３は、１番目のＯＦＤＭＡシンボル内の１番目、２番目、３番目、及び４番目のパイロットシンボルである、請求項２５に記載の移動無線通信機器。
【請求項２７】
前記パイロットシンボルＰ２、Ｐ３、Ｐ０、及びＰ１は、２番目のＯＦＤＭＡシンボル内の１番目、２番目、３番目、及び４番目のパイロットシンボルである、請求項２６に記載の移動無線通信機器。
【請求項２８】
前記パイロットシンボルＰ１、Ｐ０、Ｐ３、及びＰ２は、５番目のＯＦＤＭＡシンボル内の１番目、２番目、３番目、及び４番目のパイロットシンボルである、請求項２５に記載の移動無線通信機器。
【請求項２９】
前記パイロットシンボルＰ３、Ｐ２、Ｐ１、及びＰ０は、６番目のＯＦＤＭＡシンボル内の１番目、２番目、３番目、及び４番目のパイロットシンボルである、請求項２８に記載の移動無線通信機器。
【請求項３０】
前記５個のＯＦＤＭＡシンボルのうち４個のＯＦＤＭＡシンボルにのみわたって分散した前記パイロットシンボルは、時間領域で連続したパイロットシンボルの第１対、及び時間領域で連続したパイロットシンボルの第２対を含み、前記第２対は、前記第１対から、パイロットシンボルを含まない１個のＯＦＤＭＡシンボルだけ離れている、請求項２５に記載の移動無線通信機器。
【請求項３１】
前記１８＊５大きさの行列のインデックスナンバーセット（ｏ，ｐ，ｑ，ｒ）は、前記リソースブロック内の（ｏ＋１）番目のＯＦＤＭＡシンボル、（ｐ＋１）番目のＯＦＤＭＡシンボル、（ｑ＋１）番目のＯＦＤＭＡシンボル、及び（ｒ＋１）番目のＯＦＤＭＡシンボルに対応し、
検出器は、インデックスナンバー（０，１，３，４）に対応する位置のパイロットシンボルを検出するように構成されている、請求項２５に記載の移動無線通信機器。
【請求項３２】
前記チャンネル推定器に作動可能に連結されており、前記チャンネル推定器の出力を後処理するように構成されたＭＩＭＯポストプロセッサと、
前記ＭＩＭＯポストプロセッサに作動可能に連結されており、入力シンボルをコードワードにデマッピングするように構成されたデマッパーと、
前記デマッパーに作動可能に連結されており、前記コードワードをデコーディングするように構成されたチャンネルデコーダと、
をさらに含む、請求項２５に記載の移動無線通信機器。
【国際調査報告】
2011517516.tif 000038
2011517516.tif 000039